(57)【要約】【課題】ドライバＩＣや配線数の増加を抑制でき、表示面積の大きな液晶装置を提供する。【解決手段】液晶パネル１１と液晶パネル１２のそれぞれの後基板１４、２２に形成された対応する走査電極１７、２５どうしをＦＰＣ２９で接続する。また、液晶パネル１２の後基板２２の側縁部の走査電極端子２５Ｂに走査ドライバＩＣ３０を搭載したＦＰＣ３１の出力側を接続する。液晶パネル１１の側部には、信号ドライバＩＣ３４を搭載したＦＰＣ３２が接続され、液晶パネル１２の側部に信号ドライバＩＣ３５を搭載したＦＰＣ３３が接続されている。このような構成により、液晶パネル１１、１２の走査電極１７、２５は、走査ドライバＩＣ３０１つで駆動されるため、画面を大きくするにかかわらず走査ドライバＩＣ３０の数や配線数の増加を抑制することができる。【選択図】図１
2008090329.tif 000002
【特許請求の範囲】
【請求項１】
相対向する一対の基板間に液晶が封止され、かつ前記一対の基板のうち一方の前記基板の対向内側面に所定方向に沿って互いに平行をなす複数の走査電極が形成されるとともに、当該一方の基板または前記他方の基板の対向内側面に前記走査電極と交差する方向に沿って互いに平行をなす複数の信号電極が形成された液晶パネルを複数備え、前記液晶パネルどうしの対応する前記走査電極どうしまたは対応する前記信号電極どうしがフレキシブルプリント配線板を介して接続されていることを特徴とする液晶装置。
【請求項２】
前記フレキシブルプリント配線板は、ドライバＩＣが搭載されていることを特徴とする請求項１記載の液晶装置。
【請求項３】
前記走査電極または前記信号電極は、前記ドライバＩＣに接続されていることを特徴とする請求項２記載の液晶装置。
【請求項４】
前記フレキシブルプリント配線板で接続された走査電極または信号電極は、前記基板の当該フレキシブルプリント配線板が設けられていない側縁側でドライバＩＣに接続されていることを特徴とする請求項１記載の液晶装置。
【請求項５】
前記走査電極は前記一対の基板のうち一方の基板側に形成され、前記信号電極は他方の基板側に形成されていることを特徴とする請求項１ないし請求項４のいずれかに記載の液晶装置。
【請求項６】
前記走査電極と前記信号電極とは、同一の基板側に形成されていることを特徴とする請求項１ないし請求項４のいずれかに記載の液晶装置。
【請求項７】
前記複数の液晶パネルがそれぞれ当該液晶パネルの表示領域を露呈させる筺体に収納され、これら筺体どうしがヒンジ部を介して枢動可能に設けられ、前記フレキシブルプリント配線板が前記ヒンジ部に位置することを特徴とする請求項１ないし請求項６のいずれかに記載の液晶装置。
【請求項８】
請求項１ないし請求項７に記載のいずれかの液晶装置と、前記液晶装置へデータ入力を行う入力部とを、備えることを特徴とする電子機器。
【発明の詳細な説明】
【技術分野】
【０００１】
本発明は液晶装置およびそれを備える電子機器に関し、さらに詳しくは、複数の液晶パネルを接続してなる複数の表示領域を有する液晶装置および電子機器に関する。
【背景技術】
【０００２】
液晶装置は薄型、軽量、低電圧、低消費電力などの特徴を有しており、家庭、携帯機器、オフィス・工場や自動車用の情報表示端末として広く用いられている。このように、液晶装置は現在、未来を含めて電子ディスプレイの中心的存在であり、低消費電力を生かしてＰＤＡ（個人携帯情報端末）などへの応用が益々盛んになっている。
【０００３】
従来の液晶装置としては、例えば図８に示すようなパッシブマトリクス駆動方式の液晶表示パネルがある。この液晶表示パネル１は、ガラス基板２、３とが相対向して配置され、ガラス基板２、３間に表示領域を周回するように介在された図示しないシール材と、これらガラス基板２、３とで形成される間隙に液晶が封止されて大略構成されている。また、例えばガラス基板２の対向内側面に所定方向に沿って互いに所定間隔を介して平行に形成された複数の走査電極（図示省略する）が形成され、ガラス基板３の対向内側面に上記した走査電極と直交する方向に沿って複数の信号電極（図示省略する）が平行に形成されている。ガラス基板２の一側縁に引き回された複数の走査電極の端子には、走査ドライバＩＣ４が搭載されたフレキシブルプリント配線板５の出力側が接続されている。また、ガラス基板３の一側縁に引き回された複数の信号電極の端子には、データドライバＩＣ６Ａ、６Ｂがそれぞれ搭載されたフレキシブルプリント配線板７Ａ、７Ｂが分担して接続されている。
【０００４】
このような液晶表示パネルを用いた電子機器としては、例えばキーボードやテンキーなどの入力部を備え、入力部への入力操作に応じて液晶表示パネルでデータの表示を行うものがある。
【発明の開示】
【発明が解決しようとする課題】
【０００５】
しかしながら、このような液晶装置やそれを用いた電子機器では、軽量・薄型化を図って携帯性を追求するに伴って液晶表示パネルの表示領域が小さくなり、視認性を低下させるという結果を招いている。特に、携帯電話や携帯性を重視したポケットサイズのパーソナルコンピュータなどの携帯用情報端末では、小型化を図ることにより表示情報量が小さくなるという問題点がある。その方策として図８に示したような液晶表示パネルを２枚備えて見開きできる構成とすることが考えられるが、この場合、ドライバＩＣの数や配線数が増加するため、ケーシングの厚さ寸法が増大したり、コストが割高になるなどの問題点がある。
【０００６】
そこで、本発明が解決しようとする課題は、ドライバＩＣや配線数の増加を抑制でき、表示面積の大きな液晶装置および電子機器を低コストで実現するにはどのような手段を講じればよいかという点にある。
【課題を解決するための手段】
【０００７】
上記した課題を解決するため、本発明で講じる手段は、相対向する一対の基板間に液晶が封止され、かつ一対の基板のうち一方の基板の対向内側面に所定方向に沿って平行をなす複数の走査電極が形成されるとともに、一方の基板または他方の基板の対向内側面に走査電極と交差する方向に沿って平行をなす複数の信号電極が形成された液晶パネルを複数備え、液晶パネルどうしの対応する走査電極どうしまたは対応する信号電極どうしがフレキシブルプリント配線板を介して接続されていることを特徴とする。
【０００８】
このような構成の本発明によれば、複数の液晶パネルをフレキシブルプリント配線板で接続したことにより、フレキシブルプリント配線板を曲げることで液晶パネルどうしを枢動させることができ、液晶パネルを重ね合わせたり平面上に並べたりすることが可能となる。このため、液晶パネルどうしを見開きできるように広げた状態で表示領域の大きな液晶装置とすることができる。個々の液晶パネルが小型であっても全体としての表示領域を大きくすることができるため、視認性の高い表示を行うことができる。
【０００９】
そして、本発明では、複数の液晶パネル間で対応する走査電極どうしまたは対応する信号電極どうしをフレキシブルプリント配線板で接続したことにより、それぞれの液晶パネル毎に走査ドライバＩＣまたは信号ドライバＩＣを備える必要がなくなる。例えば走査電極どうしがフレキシブルプリント配線板で接続されている場合は複数の液晶パネル全体で１つまたは１式の走査ドライバＩＣが接続されていればよく、また信号電極どうしがフレキシブルプリント配線板で接続されている場合は複数の液晶パネル全体で１つまたは１式の信号ドライバＩＣが接続されていればよい。このため、液晶パネルの数が増えてもドライバＩＣの数が増えることがなく、低コストに抑えることができる。
【００１０】
また、本発明は、フレキシブルプリント配線板にドライバＩＣが搭載された構成とすることができる。また、対応する走査電極どうしまたは対応する信号電極どうしは、ドライバＩＣに接続されていることが好ましい。このような構成の本発明では、フレキシブルプリント配線板にドライバＩＣが搭載されているため、別途液晶パネル側にドライバＩＣを搭載する必要がなく、液晶装置全体の省スペース化を図ることができる。
【００１１】
さらに、本発明は、フレキシブルプリント配線板で接続された走査電極または信号電極が、液晶パネルを構成する基板におけるフレキシブルプリント配線板が設けられていない側縁側でドライバＩＣに接続された構成とすることができる。
このような構成の本発明では、フレキシブルプリント配線板にドライバＩＣを搭載しないため、曲げ半径をより小さくすることができ液晶パネル（液晶パネルを含む筺体）どうしの枢動部分を省スペース化できるという効果を有する。
【００１２】
また、本発明は、走査電極が一対の基板のうち一方の基板側に形成され、信号電極が他方の基板側に形成される構成とすることができる。このような構成の本発明では、パッシブマトリクス駆動方式の液晶パネルや、２端子型非線形素子を用いたアクティブマトリクス駆動方式の液晶パネルを複数備えた液晶装置の表示領域全体の面積を大きくすることができる。
【００１３】
さらに、本発明は、走査電極と信号電極とが、同一の基板側に形成されている構成とすることができる。このような構成の本発明によれば、ＴＦＴ（thin  film transistor）をスイッチング素子として用いるアクティブマトリクス駆動方式の液晶パネルを複数備えた液晶装置の表示領域全体の面積を大きくすることができる。
【００１４】
また、本発明は、複数の液晶パネルがそれぞれ液晶パネルの表示領域を露呈させる筺体に収納され、これら筺体どうしがヒンジ部を介して枢動可能に設けられ、フレキシブルプリント配線板がヒンジ部に位置する構成とすることが好ましい。
【００１５】
このような構成の本発明では、ヒンジ部に可撓性を有するフレキシブルプリント配線板が位置するため、ヒンジ部を介して筺体どうしが枢動しても液晶パネルどうしの接続状態を保持することができる。このため、液晶パネルが収納された筺体どうしを開いた状態で大きな表示領域を形成することができ、表示画像の視認性を高める効果を有する。本発明に係る電子機器は、液晶装置とこの液晶装置へデータ入力を行う入力部とを、備え、液晶装置が、相対向する一対の基板間に液晶が封止され、かつ一対の基板のうち一方の基板の対向内側面に所定方向に沿って平行をなす複数の走査電極が形成されるとともに、一方の基板または他方の基板の対向内側面に走査電極と交差する方向に沿って平行をなす複数の信号電極が形成された液晶パネルを複数備え、液晶パネルどうしの対応する走査電極どうしまたは対応する信号電極どうしがフレキシブルプリント配線板を介して接続されていることを特徴とする。
【００１６】
このような構成の本発明によれば、複数の液晶パネルをフレキシブルプリント配線板で接続したことにより、フレキシブルプリント配線板を曲げることで液晶パネルどうしを枢動させることができ、液晶パネルどうしを重ね合わせたり液晶パネルを見開き状態で平面上に並べて配置することが可能となる。このため、液晶パネルどうしを広げて並べた状態で表示領域の大きな電子機器とすることができる。個々の液晶パネルが小型であっても全体としての表示領域を大きくすることができるため、視認性の高い表示を行うことができる。本発明のような構成とすることにより、例えば携帯用電話などの表示領域を実質的に大きくすることができ、表示できるデータ量を増大することができる。
【００１７】
そして、本発明では、複数の液晶パネル間で対応する走査電極どうしまたは対応する信号電極どうしをフレキシブルプリント配線板で接続したことにより、それぞれの液晶パネル毎に走査ドライバＩＣまたは信号ドライバＩＣを備える必要がない。例えば走査電極どうしがフレキシブルプリント配線板で接続されている場合は複数の液晶パネル全体で１つまたは１式の走査ドライバＩＣが接続されていればよく、また信号電極どうしがフレキシブルプリント配線板で接続されている場合は複数の液晶パネル全体で１つまたは１式の信号ドライバＩＣが接続されていればよい。このため、液晶パネルの数が増えてもドライバＩＣの数が増えることがなく、低コストに抑えることができる。このように液晶パネルのそれぞれにドライバＩＣを要しないため、液晶パネル毎に各種電子部品が搭載されたプリント基板を備える必要がなく電子機器を薄型にすることができる。
【発明を実施するための最良の形態】
【００１８】
以下、本発明に係る液晶装置および電子機器の詳細を図面に示す各実施形態に基づいて説明する。
【００１９】
（実施形態１）
図１〜図４は本発明の実施形態１を示している。本実施形態１の液晶装置は、パッシブマトリクス駆動方式の反射型の液晶パネルを２枚備える構成である。図１は本実施形態１の液晶装置の平面図、図２は図１のＡ−Ａ断面図、図３は本実施形態１の液晶装置を備えた電子機器、図４は図３のＢ−Ｂ断面図である。
【００２０】
図１に示すように、本実施形態１の液晶装置１０は、２つの液晶パネル１１、１２を備えている。液晶パネル１１は、所定のギャップを介して互いに対向する前基板１３と後基板１４を備えている。前基板１３は、外光に対して透明性を有する例えばガラスで形成されている。後基板１３は、本実施形態１では透明なガラスで形成されているが、外光に対して透明性を有しない基板であってもよい。図１に示すように、前基板１３の図面縦方向の長さ寸法は後基板１４の縦方向の長さ寸法より短く設定され、前基板１３の図面横方向の長さ寸法は後基板１４の横方向の長さ寸法より長く設定されている。また、両基板１３、１４は、それぞれの隣接する２側縁どうしが厚さ方向に所定間隔を介して略同位置になるように、後記するシール材１９を介して貼り合わされている。このため、後基板１４は縦方向で前基板１３より外側（図中、下側）に突出し、前基板１３は横方向で後基板１４より外側（図中、左側）に突出している。
【００２１】
前基板１３の後基板１４と対向する面（以下、対向内側面という。）には、複数の信号電極１５が互いに所定間隔を介して平行をなすように、図１中横方向に沿って形成されている。これら信号電極１５は、前基板１３を横断するように形成されている。これら信号電極１５は、例えば透明なＩＴＯ（indium tin oxide）で形成されている。また、前基板１３における、後基板１４に対して横方向に突出する側縁部１３Ａには、これら信号電極１５の電極端子１５Ａが所定間隔を介して配置されている。そして、信号電極１５を含む前基板１５の対向内側面の表示領域全体には、図２に示すように前配向膜１６が形成されている。
【００２２】
一方、後基板１４の対向内側面には、上記した信号電極１５に交差（直交）する方向に沿って互いに所定間隔を介して平行をなす複数の走査電極１７が形成されている。この走査電極１７は、前基板１３側から入射される外光に対して反射性を有する、例えばアルミニウムなどの金属で形成されている。また、後基板１４における、前基板１３に対して縦方向に突出する側縁部１４Ａには、これら走査電極１７の電極端子１７Ａが所定間隔を介して配置されている。そして、走査電極１７を含む後基板１４の対向内側面の表示領域全体には、図２に示すように後配向膜１８が形成されている。
【００２３】
上記した前基板１３と後基板１４は、信号電極１５と走査電極１７とが交差して構成されるＸＹマトリクスで形成される表示領域を取り囲むように配置されたシール材１９を介して、所定ギャップを保持するように貼り合わされている。そして、前基板１３と後基板１４とシール材１９とで形成される空隙に液晶２０が封止されて液晶パネル１１が構成されている。
【００２４】
次に、液晶パネル１２の構成について説明する。液晶パネル１２は、上記した液晶パネル１１の前基板１３と略同形状で略同寸法の前基板２１と、図１に示すように縦方向の長さ寸法が前基板２１より長く、横方向の長さ寸法が前基板２１より短い後基板２２とを、備えている。前基板２１と後基板２２とは、後基板２２の図中縦方向の両側縁部２２Ａ、２２Ｂが、前基板２１の縦方向の両側縁部より外側（上側、下側）に突出し、前基板２１の図中左側の側縁部２１Ａが後基板２２の側縁部より外側（左側）へ突出するように、後記するシール材２７で貼り合わされている。また、前基板２１の対向内側面には、液晶パネル１１の前基板１３に形成されている上記した信号電極１５と平行をなす、複数の信号電極２３が形成されている。前基板２１の側縁部２１Ａには、信号電極２３の電極端子２３Ａが配置されている。また、前基板２１における、信号電極２３を含む対向内側面の表示領域全体には、図２に示すように前配向膜２４が形成されている。
【００２５】
一方、後基板２２の対向内側面には、上記した液晶パネル１１の後基板１４に形成された上記走査電極１７と同方向に沿って形成され、かつ走査電極１７と同数の走査電極２５が互いに所定間隔を介して平行に形成されている。後基板２２の側縁部２２Ａには走査電極２５の一方の電極端子２５Ａが配置され、後基板２２の側縁部２２Ｂには走査電極２５の他方の電極端子２５Ｂが配置されている。また、後基板２２における、走査電極２５を含む対向内側面の表示領域全体には、図２に示すように後配向膜２６が形成されている。
【００２６】
上記した前基板２１と後基板２２は、信号電極２３と走査電極２５とが交差して構成されるＸＹマトリクスで形成される表示領域を取り囲むように配置されたシール材２７を介して、所定ギャップを保持するように貼り合わされている。そして、前基板２１と後基板２２とシール材２７とで形成される空隙に液晶２８が封止されて液晶パネル１２が構成されている。
【００２７】
このような構成の液晶パネル１１の走査電極１７と液晶パネル１２の走査電極２５とは、互いに同じ行に位置する電極どうしがフレキシブルプリント配線板（以下、ＦＰＣという。）２９で接続されている。ＦＰＣ２９は、樹脂基板２９Ａの表面（下面）に平行な複数の（走査電極１７、２５と同数の）配線パターン２９Ｂが形成されてなり、可撓性を有している。なお、このＦＰＣ２９の両側部は、異方性導電接着剤（図示省略する。）を介して後基板１４の側縁部１４Ａと後基板２２の側縁部２２Ａに固定されており、走査電極１７の電極端子１７Ａとこれに対応する走査電極２５の電極端子２５Ａとが導通するように接続されている。液晶パネル１１と液晶パネル１２とは、ＦＰＣ２９で接続されているため、このＦＰＣ２９で両液晶パネル１１、１２が任意の角度をなすように曲げることが可能となっている。
【００２８】
また、液晶パネル１２側の後基板２２の側縁部２２Ｂには、走査ドライバＩＣ３０が搭載・実装されたＦＰＣ３１の出力端子側が異方性導電接着剤を介して接続されている。また、ＦＰＣ３１の他方の端子側は、図４に示すように液晶パネル１２の後方に配置されるプリント配線基板３９に接続される。なお、このＦＰＣ３１は、樹脂基板３１Ａの表面に配線パターン３１Ｂが形成され、これら配線パターン３１Ｂの端子部に走査ドライバＩＣ３０がバンプ３０Ａを介して接続されている。実装された走査ドライバＩＣ３０は封止樹脂３２で絶縁封止されている。
【００２９】
さらに、液晶パネル１１および液晶パネル１２のそれぞれの前基板１３、２１の側縁部１３Ａ、２１Ａには、それぞれＦＰＣ３２、３３が接続・固定されている。ＦＰＣ３２には信号電極１５〜１５へ駆動信号を出力する信号ドライバＩＣ３４が搭載され、ＦＰＣ３３には信号電極２３〜２３へ駆動信号を出力する信号ドライバＩＣ３５が搭載されている。
【００３０】
上記した構成の液晶装置１０では、液晶パネル１１と液晶パネル１２の対応する走査電極１７、２５どうしがＦＰＣ２９を介して実質的に１本の走査電極となるため、両方の液晶パネル１１、１２にそれぞれ走査ドライバＩＣ３０を設ける必要がなく、本実施形態１では片方の液晶パネル１２に走査ドライバＩＣ３０を設けるだけでよい。このため、走査ドライバＩＣの数の増加を抑制することができる。また、液晶パネル１１と液晶パネル１２の表示領域を一体的な表示領域として用いることができるため、表示画面の面積を大きくすることができ、表示できるデータ量を増大させることができる。
【００３１】
図３および図４は、本実施形態１の液晶装置１０を備えた電子機器４０を示している。この電子機器４０は、液晶装置１０を構成する液晶パネル１１が筺体３６に表示領域が露呈するように収納され、液晶パネル１２が筺体３７に表示領域が露呈するように収納されるとともに、液晶パネル１１、１２の間に接続・固定されたＦＰＣ２９が筺体３６、３７の枢支部（ヒンジ部）３８に形成された配置空間３８Ａに収納されている。なお、各液晶パネル１１、１２の表示領域の表面には、図示しない透明な保護板が配置されている。また、筺体３７には、操作・入力部４１が設けられている。この操作・入力部４１を操作することにより、両液晶パネル１１、１２の表示領域での表示を行うことが可能となる。なお、筺体３６、３７が隣接する部分の枠部３６Ａ、３７Ａは、両液晶パネル１１、１２の表示領域どうしが離れないように幅が狭く設定されている。この電子機器４０では、液晶パネル１１、１２の表示面が面一となるように筺体３６、３７どうしを約１８０°の角度に開いた状態で大きな表示画面を実現することができる。このため、１つの液晶パネルの面積が小さくても２つの液晶パネルで形成される表示領域を大きく、視認性の高いものとすることができる。
【００３２】
本実施形態１では液晶パネル１１、１２として、パッシブマトリクス駆動方式の反射型液晶パネルを用いたが、２端子型非線形素子を用いたアクティブマトリクス駆動方式の反射型液晶パネルや、ＴＦＴをスイッチング素子として用いるアクティブマトリクス駆動方式の反射型液晶パネルを適用することも可能である。
また、液晶パネルは反射型に限られるものではなく、別途バックライトシステムを備える透過型液晶パネルを適用することも可能である。なお、ＴＦＴを用いたアクティブマトリクス駆動方式の液晶パネルの場合は、走査電極と信号電極とが、同一の基板側に形成されているが、ＦＰＣの接続はＴＦＴ基板側に行えばよく、他の構成は本実施形態１と同様となる。また、本実施形態１では、液晶パネル１１、１２のそれぞれの走査電極１７、２５どうしをＦＰＣ２９で接続する構成としたが、逆に、信号電極どうしをＦＰＣで接続する構成としてもよい。
【００３３】
（実施形態２）
図５および図６は、本発明に係る液晶装置および電子機器の実施形態２を示している。本実施形態の液晶装置１１０の構成は、液晶パネル１１１と液晶パネル１１２のそれぞれの後基板１１４、１１６に形成された互いに対応する行の走査電極（図示省略する。）どうしへ、３つのＦＰＣ１１７、１１８、１１９に搭載された走査ドライバＩＣ１２０、１２１、１２２のいずれかから選択電圧を同時に印加し得るようにしたものである。このため、走査ドライバＩＣ１２０、１２１、１２２は２つの液晶パネルで１式備えればよい構成となっている。また、図示しない信号電極が形成される前基板１１３、１１５の側縁部には、上記した実施形態１と同様に信号ドライバＩＣ１２３を搭載したＦＰＣ１２４、信号ドライバＩＣ１２５を搭載したＦＰＣ１２６がそれぞれ接続されている。なお、他の構成の詳細は上記した実施形態１と同様であるので説明を省略する。
【００３４】
本実施形態２では、上記した実施形態１の作用・効果に加えて、液晶パネル１１１、１１２どうしを接続するＦＰＣ１１７１１８、１１９がそれぞれ走査ドライバＩＣ１２０、１２１、１２２を搭載しているため、液晶パネル１１１または液晶パネル１１２の他の側縁部に走査ドライバＩＣを実装する必要がなく、液晶装置１１０の省スペース化を図ることができる。
【００３５】
また、図６は本実施形態２の液晶装置１１０を備えた電子機器１４０を示している。この電子機器１４０は、具体的には携帯用電話に適用したものであり、液晶パネル１１１が筺体１３６に表示領域が露呈するように収納され、液晶パネル１１２が筺体１３７側に表示領域が露呈するように収納された構成となっている。そして、筺体１３６、１３７どうしはヒンジ部１３８を介して枢動自在に設けられている。上記したＦＰＣ１１７、１１８、１１９は、このヒンジ部１３８内に折り曲げ可能に収納されている。なお、この電子機器１４０においては、入力部として液晶パネル１１２の表面にタッチパネル（図示省略する。）を設けたものであり、液晶パネル１１２側では入力と表示とを行うことが可能となっている。このような構成とすることにより、データ量の大きい表示を行うことが可能になる。なお、本実施形態２においては、液晶パネル１１１、１１２はパッシブマトリクス駆動方式の反射型液晶パネルや、バックライトを備えた透過型液晶パネルなどの各種の液晶パネルを適用することができる。
【００３６】
（実施形態３）
図７は、本発明に係る液晶装置の実施形態３を示す平面図である。本実施形態３の液晶装置２１０は、縦長の液晶パネル２１１、２１２を縦にＦＰＣ２１３を介して接続したものである。このＦＰＣ２１３で接続する電極は、走査電極どうしでも信号電極どうしでも構わない。本実施形態３では、走査電極どうしを走査ドライバＩＣ２１４を搭載したＦＰＣ２１３で接続した例である。液晶パネル２１１の側部には、信号ドライバＩＣ２１５を搭載したＦＰＣ２１６と信号ドライバＩＣ２１７を搭載したＦＰＣ２１８が接続されている。また、液晶パネル２１２の側部には、信号ドライバＩＣ２１９を搭載したＦＰＣ２２０と信号ドライバＩＣ２２１を搭載したＦＰＣ２２２が接続されている。なお、液晶パネル２１１は前基板２１１Ａと後基板２１１Ｂとを備えている。また、液晶パネル２１２は前基板２１２Ａと後基板２１２Ｂとを備えている。そして、上記したＦＰＣ２１３は、後基板２１１Ｂ、２１２Ｂに形成された図示しない走査電極どうしの対応する行に同時に走査ドライバＩＣ２１４から選択電圧を出力できるように接続されている。本実施形態３の液晶装置２１０においても、上記した実施形態１および実施形態２と同様な効果を有する。特に本実施形態３では、縦長の表示領域を必要とする電子機器に適している。
【００３７】
以上、実施形態１〜実施形態３について説明したが、本発明はこれらに限定されるものではなく、構成の要旨に付随する各種の変更が可能である。例えば、上記した各実施形態では主にパッシブマトリクス駆動方式の反射型液晶パネルを適用したが、本発明は、この他、交差する方向に走査電極と信号電極とを有する各種の液晶パネルに適用することができる。また、上記各実施形態を示す図では、液晶パネル間を接続するＦＰＣの幅寸法を短く描いたが、液晶パネルどうしの回転移動を円滑にするにはＦＰＣの幅寸法を長くすればよく、この場合ＦＰＣの曲げによる負担を軽減することができる。さらに、上記した実施形態１〜３では、液晶パネルが２つの場合に本発明を適用して説明したが、液晶パネルが３つ以上とする場合にも本発明を適用することが可能である。
【図面の簡単な説明】
【００３８】
【図１】本発明に係る液晶装置の実施形態１を示す平面図。
【図２】図１のＡ−Ａ断面図。
【図３】実施形態１の液晶装置を備える電子機器の斜視図。
【図４】図３のＢ−Ｂ断面図。
【図５】本発明に係る液晶装置の実施形態２を示す平面図。
【図６】実施形態２の液晶装置を備える電子機器の斜視図。
【図７】本発明に係る液晶装置の実施形態３を示す平面図。
【図８】従来の液晶パネルの平面図。
【符号の説明】
【００３９】
１０，１１０，２１０…液晶装置、１１，１２…液晶パネル、１３，２１…前基板、１４，２２…後基板、１５，２３…信号電極、１７，２５…走査電極、１９，２７…シール材、２０，２８…液晶、２９…ＦＰＣ、３０…走査ドライバＩＣ、３１，３２，３３…ＦＰＣ、３４，３５…信号ドライバＩＣ、３６，３７，１３６，１３７…筺体、３８…枢支部、４０，１４０…電子機器、４１…走査・入力部、１１３，１１５…前基板、１１４，１１６…後基板、１１７，１１８，１１９…ＦＰＣ、１２０，１２１，１２２…走査ドライバＩＣ、１２３，１２５…信号ドライバＩＣ、１２４，１２６…ＦＰＣ、２１１，２１２…液晶パネル、２１１Ａ，２１２Ａ…前基板、２１１Ｂ，２１２Ｂ…後基板、２１３…ＦＰＣ、２１４…走査ドライバＩＣ、２１５，２１７，２１９，２２１…信号ドライバＩＣ、２１６，２１８，２２０，２２２…ＦＰＣ。
【図１】
2008090329.tif 000003
【図２】
2008090329.tif 000004
【図３】
2008090329.tif 000005
【図４】
2008090329.tif 000006
【図５】
2008090329.tif 000007
【図６】
2008090329.tif 000008
【図７】
2008090329.tif 000009
【図８】
2008090329.tif 000010
【手続補正書】
【提出日】平成20年1月23日(2008.1.23)
【手続補正１】
【補正対象書類名】特許請求の範囲
【補正対象項目名】全文
【補正方法】変更
【補正の内容】
【特許請求の範囲】
【請求項１】
フレキシブルプリント基板を介して互いに接続されてなる第１および第２の液晶パネルを備える電子機器において、
前記第１の液晶パネルおよび前記第２の液晶パネルは、それぞれ走査電極および信号電極を備えており、
前記第１の液晶パネルおよび前記第２の液晶パネルの走査電極に、又は信号電極に、共通のドライバＩＣから信号が供給されるよう構成されてなり、
前記第１の液晶パネル、および前記第２の液晶パネルのそれぞれは、ヒンジ部を介して枢動可能に設けられた筐体に収納され、
前記ヒンジ部内には空間が形成されてなり、
前記フレキシブルプリント配線板は、前記空間に収納されることを特徴とする電子機器。
【請求項２】
前記ドライバＩＣが前記プリント配線板に実装されてなることを特徴とする請求項１に記載の電子機器。
【請求項３】
前記第１および前記第２の液晶パネルの走査電極同士、或いは前記第１の液晶パネルおよび前記第２の液晶パネルの信号電極同士が互いに接続されてなることを特徴とする請求項１に記載の電子機器。
【請求項４】
複数の前記フレキシブルプリント配線板を備えており、前記複数のフレキシブルプリント配線板のそれぞれに前記ドライバＩＣが実装されてなることを特徴とする請求項１に記載の電子機器。
【手続補正２】
【補正対象書類名】明細書
【補正対象項目名】０００７
【補正方法】変更
【補正の内容】
【０００７】
本発明の電子機器は、フレキシブルプリント基板を介して互いに接続されてなる第１および第２の液晶パネルを備える電子機器において、前記第１の液晶パネルおよび前記第２の液晶パネルは、それぞれ走査電極および信号電極を備えており、前記第１の液晶パネルおよび前記第２の液晶パネルの前記走査電極、又は前記信号電極には、共通のドライバＩＣから信号が供給されるよう構成されてなり、前記第１の液晶パネル、および前記第２の液晶パネルのそれぞれは、ヒンジ部を介して枢動可能に設けられた筐体に収納され、前記ヒンジ部内には空間が形成されてなり、前記フレキシブルプリント配線板は、前記空間に収納されることを特徴とする。好ましくは前記ドライバＩＣが前記プリント配線板に実装されてなることを特徴とする。
【手続補正３】
【補正対象書類名】明細書
【補正対象項目名】０００９
【補正方法】変更
【補正の内容】
【０００９】
また、本発明では、前記第１および前記第２の液晶パネルの走査電極同士、或いは前記第１の液晶パネルおよび前記第２の液晶パネルの信号電極同士が互いに接続されてなることを特徴とする。それにより、それぞれの液晶パネル毎に走査ドライバＩＣまたは信号ドライバＩＣを備える必要がなくなる。例えば走査電極どうしがフレキシブルプリント配線板で接続されている場合は複数の液晶パネル全体で１つまたは１式の走査ドライバＩＣが接続されていればよく、また信号電極どうしがフレキシブルプリント配線板で接続されている場合は複数の液晶パネル全体で１つまたは１式の信号ドライバＩＣが接続されていればよい。このため、液晶パネルの数が増えてもドライバＩＣの数が増えることがなく、低コストに抑えることができる。
【手続補正４】
【補正対象書類名】明細書
【補正対象項目名】００１０
【補正方法】変更
【補正の内容】
【００１０】
本発明においては、フレキシブルプリント配線板にドライバＩＣが搭載されている。また、対応する走査電極どうしまたは対応する信号電極どうしは、ドライバＩＣに接続されている。このような構成の本発明では、フレキシブルプリント配線板にドライバＩＣが搭載されているため、別途液晶パネル側にドライバＩＣを搭載する必要がなく、液晶装置全体の省スペース化を図ることができる。
【手続補正５】
【補正対象書類名】明細書
【補正対象項目名】００１４
【補正方法】変更
【補正の内容】
【００１４】
本発明にあっては、前記第１の液晶パネル、および前記第２の液晶パネルのそれぞれは、ヒンジ部を介して枢動可能に設けられた筐体に収納され、前記ヒンジ部内には空間が形成されてなり、前記フレキシブルプリント配線板は、前記空間に収納されている。